(57)【要約】【課題】  デジタルコンテンツの記録された記録媒体を、正規のユーザー以外の者に使用することができなくするデジタルコンテンツデータ生成システムを提供する。【解決手段】  情報端末１０は、デジタルコンテンツ情報を格納するコンテンツ記憶サーバー６より、ユーザー所望のデジタルコンテンツ情報を読み出し、読み出されたデジタルコンテンツ情報を再生機１５のＩＤ情報に基づいてエンコードし、所定の記録媒体上に書き込みを行う。再生機１５は、前記記録媒体からデータを読み出し、自機のＩＤ情報に基づいてデコード処理を行い、前記所定のコンテンツ情報を復元する。【選択図】  図１
2005198329.tif 000002
【特許請求の範囲】
【請求項１】
自装置が使用する所定のＩＤ情報を用いた場合にのみデコード可能にエンコードされたデジタルコンテンツ情報をデコードするデジタルコンテンツ情報復元装置であって、
前記デジタルコンテンツ情報復元装置がデコードの際に使用する所定のＩＤ情報に基づいて所定のデジタルコンテンツ情報をエンコード処理した後に所定の記録媒体上に書き込みを行ったデータを、前記記録媒体から読み出し、自装置が使用する前記ＩＤ情報に基づいてデコード処理を行い、前記所定のデジタルコンテンツ情報を復元することを特徴とするデジタルコンテンツ情報復元装置。
【請求項２】
前記ＩＤ情報は、前記記録媒体を利用する特定の機器が有する該機器固有の識別情報であることを特徴とする請求項１に記載のデジタルコンテンツ情報復元装置。
【請求項３】
自装置が使用する所定のＩＤ情報を用いた場合にのみデコード可能にエンコードされたデジタルコンテンツ情報をデコードするデジタルコンテンツ情報復元装置であって、
前記デジタルコンテンツ情報を利用するユーザーに対して個別に発行された登録者番号またはコンテンツ記録媒体ごとに発行された番号または個人識別データであって前記デジタルコンテンツ情報復元装置がデコードの際に使用するＩＤ情報に基づいて所定のデジタルコンテンツ情報をエンコード処理した後に所定の記録媒体上に書き込みを行ったデータを、前記記録媒体から読み出し、自装置が使用する前記ＩＤ情報に基づいてデコード処理を行い、前記所定のデジタルコンテンツ情報を復元することを特徴とするデジタルコンテンツ情報復元装置。
【請求項４】
前記エンコード処理は、前記デジタルコンテンツ情報の全てまたは一部に対して行われたものであること特徴とする請求項１乃至３に記載のデジタルコンテンツ情報復元装置。
【請求項５】
前記デジタルコンテンツ情報復元装置は、前記記録媒体と共にユーザーに対して提供されることを特徴とする請求項１乃至４のいずれか１に記載のデジタルコンテンツ情報復元装置。
【請求項６】
ユーザーが所有しまたは使用する特定のデジタルコンテンツ情報復元装置によってのみデコード可能なエンコードされたデジタルコンテンツ情報を生成する配布用デジタルコンテンツ情報生成装置と、
自装置が使用する所定のＩＤ情報を用いた場合にのみデコード可能にエンコードされたデジタルコンテンツ情報をデコードするデジタルコンテンツ情報復元装置と、
を備えたデジタルコンテンツデータ生成システムであって、
前記配布用デジタルコンテンツ情報生成装置は、デジタルコンテンツ情報記憶手段より所定のデジタルコンテンツ情報を読み出して、前記特定のデジタルコンテンツ情報復元装置がデコードの際に使用するＩＤ情報に基づいてエンコード処理した後、所定の記録媒体上に書き込みを行い、
前記デジタルコンテンツ情報復元装置は、前記配布用デジタルコンテンツ情報生成装置により生成された記録媒体からデータを読み出し、自装置が使用する前記ＩＤ情報に基づいてデコード処理を行い、前記所定のデジタルコンテンツ情報を復元すること、
を特徴とするデジタルコンテンツデータ生成システム。
【請求項７】
情報通信ネットワークを介してデジタルコンテンツ情報を取得するとともに、ユーザーが所有しまたは使用する特定のデジタルコンテンツ情報復元装置によってのみデコード可能なエンコードされたデジタルコンテンツ情報を生成する配布用デジタルコンテンツ情報生成装置と、
自装置が使用する所定のＩＤ情報を用いた場合にのみデコード可能にエンコードされたデジタルコンテンツ情報をデコードするデジタルコンテンツ情報復元装置と、
を備えたデジタルコンテンツデータ生成システムであって、
前記配布用デジタルコンテンツ情報生成装置は、前記情報通信ネットワークを介して取得したデジタルコンテンツ情報を格納するコンテンツ記憶サーバーと、前記コンテンツ記憶サーバーより、前記ユーザー所望のデジタルコンテンツ情報を読み出し、該読み出されたデジタルコンテンツ情報を、前記特定のデジタルコンテンツ情報復元装置がデコードの際に使用するＩＤ情報に基づいてエンコード処理し、所定の記録媒体上に書き込みを行う情報端末とを備え、
前記デジタルコンテンツ情報復元装置は、前記配布用デジタルコンテンツ情報生成装置により生成された記録媒体からデータを読み出し、自装置が使用する前記ＩＤ情報に基づいてデコード処理を行い、前記所定のデジタルコンテンツ情報を復元すること、
を特徴とするデジタルコンテンツデータ生成システム。
【請求項８】
前記ＩＤ情報は、前記記録媒体を利用する特定の機器が有する該機器固有の識別情報であることを特徴とする請求項６または７に記載のデジタルコンテンツデータ生成システム。
【請求項９】
前記配布用デジタルコンテンツ情報生成装置が備える前記情報端末は、
前記コンテンツ記憶サーバーの中から、ユーザー所望のデジタルコンテンツ情報を選択する選択部と、
前記選択部により選択されたデジタルコンテンツ情報を、前記コンテンツ記憶サーバーより読み出す読出部と、
前記読出部により読み出されたデジタルコンテンツ情報を、前記ＩＤ情報に基づいてエンコード処理するエンコーダと、
前記エンコーダによりエンコードされたデジタルコンテンツ情報を記録する記録媒体と、
により構成されることを特徴とする請求項７に記載のデジタルコンテンツデータ生成システム。
【請求項１０】
前記エンコーダには、前記デジタルコンテンツ情報復元装置の有するＩＤ情報が、前記デジタルコンテンツ情報復元装置より直接供給されることを特徴とする請求項９に記載のデジタルコンテンツデータ生成システム。
【請求項１１】
ユーザーが所有しまたは使用する特定のデジタルコンテンツ情報復元装置によってのみデコード可能なエンコードされたデジタルコンテンツ情報を生成する配布用デジタルコンテンツ情報生成装置と、
自装置が使用する所定のＩＤ情報を用いた場合にのみデコード可能にエンコードされたデジタルコンテンツ情報をデコードするデジタルコンテンツ情報復元装置と、
を備えたデジタルコンテンツデータ生成システムであって、
前記配布用デジタルコンテンツ情報生成装置は、デジタルコンテンツ情報記憶手段より所定のデジタルコンテンツ情報を読み出して、前記デジタルコンテンツ情報を利用するユーザーに対して個別に発行された登録者番号またはコンテンツ記録媒体ごとに発行された番号または個人識別データであって前記特定のデジタルコンテンツ情報復元装置がデコードの際に使用するＩＤ情報に基づいてエンコード処理した後、所定の記録媒体上に書き込みを行い、
デジタルコンテンツ情報復元装置は、前記配布用デジタルコンテンツ情報生成装置により生成された記録媒体からデータを読み出し、自装置が使用する前記ＩＤ情報に基づいてデコード処理を行い、前記所定のデジタルコンテンツ情報を復元すること、
を特徴とするデジタルコンテンツデータ生成システム。
【請求項１２】
情報通信ネットワークを介してデジタルコンテンツ情報を取得するとともに、ユーザーが所有しまたは使用する特定のデジタルコンテンツ情報復元装置によってのみデコード可能なエンコードされたデジタルコンテンツ情報を生成する配布用デジタルコンテンツ情報生成装置と、
自装置が使用する所定のＩＤ情報を用いた場合にのみデコード可能にエンコードされたデジタルコンテンツ情報をデコードするデジタルコンテンツ情報復元装置と、
を備えたデジタルコンテンツデータ生成システムであって、
前記配布用デジタルコンテンツ情報生成装置は、前記情報通信ネットワークを介して取得したデジタルコンテンツ情報を格納するコンテンツ記憶サーバーと、前記コンテンツ記憶サーバーより、前記ユーザー所望のデジタルコンテンツ情報を読み出し、該読み出されたデジタルコンテンツ情報を、前記デジタルコンテンツ情報を利用するユーザーに対して個別に発行された登録者番号またはコンテンツ記録媒体ごとに発行された番号または個人識別データであって前記特定のデジタルコンテンツ情報復元装置がデコードの際に使用するＩＤ情報に基づいてエンコード処理し、所定の記録媒体上に書き込みを行う情報端末とを備え、
前記デジタルコンテンツ情報復元装置は、前記配布用デジタルコンテンツ情報生成装置により生成された記録媒体からデータを読み出し、自装置が使用する前記ＩＤ情報に基づいてデコード処理を行い、前記所定のデジタルコンテンツ情報を復元すること、
を特徴とするデジタルコンテンツデータ生成システム。
【請求項１３】
前記配布用デジタルコンテンツ情報生成装置が備える前記情報端末は、
前記コンテンツ記憶サーバーの中から、ユーザー所望のデジタルコンテンツ情報を選択する選択部と、
前記選択部により選択されたデジタルコンテンツ情報を、前記コンテンツ記憶サーバーより読み出す読出部と、
前記読出部により読み出されたデジタルコンテンツ情報を、前記ＩＤ情報に基づいてエンコード処理するエンコーダと、
前記エンコーダによりエンコードされたデジタルコンテンツ情報を記録する記録媒体と、
により構成されることを特徴とする請求項１２に記載のデジタルコンテンツデータ生成システム。
【請求項１４】
前記エンコーダには、前記デジタルコンテンツ情報を利用するユーザーに対して個別に発行された登録者番号またはコンテンツ記録媒体ごとに発行された番号または個人識別データが、ＩＤ情報として供給されることを特徴とする請求項１３に記載のデジタルコンテンツデータ生成システム。
【請求項１５】
情報通信ネットワークを介してデジタルコンテンツ情報を取得するとともに、ユーザーが所有しまたは使用する特定のデジタルコンテンツ情報復元装置によってのみデコード可能なエンコードされたデジタルコンテンツ情報を生成する配布用デジタルコンテンツ情報生成装置と、
自装置が使用する所定のＩＤ情報を用いた場合にのみデコード可能にエンコードされたデジタルコンテンツ情報をデコードするデジタルコンテンツ情報復元装置と、
を備えたデジタルコンテンツデータ生成システムであって、
前記配布用デジタルコンテンツ情報生成装置は、前記情報通信ネットワークを介して取得したデジタルコンテンツ情報を格納するコンテンツ記憶サーバーと、前記コンテンツ記憶サーバーより、前記ユーザー所望のデジタルコンテンツ情報を読み出し、該読み出されたデジタルコンテンツ情報を前記特定のデジタルコンテンツ情報復元装置がデコードの際に使用する所定のＩＤ情報に基づいてエンコードし、所定の記録媒体上に書き込みを行うデジタルコンテンツ情報記録媒体生成サーバーと、前記デジタルコンテンツ情報記録媒体生成サーバーに対し、前記情報通信ネットワークを介して、所望のデジタルコンテンツ情報及び前記特定のデジタルコンテンツ情報復元装置がデコードの際に使用するＩＤ情報を通知するユーザー端末とを備え
前記デジタルコンテンツ情報復元装置は、前記配布用デジタルコンテンツ情報生成装置により生成された記録媒体からデータを読み出し、自装置が使用する前記ＩＤ情報に基づいてデコード処理を行い、前記所定のデジタルコンテンツ情報を復元すること、
を特徴とするデジタルコンテンツデータ生成システム。
【請求項１６】
前記ＩＤ情報は、前記記録媒体を利用する特定の機器が有する該機器固有の識別情報であることを特徴とする請求項１５に記載のデジタルコンテンツデータ生成システム。
【請求項１７】
情報通信ネットワークを介してデジタルコンテンツ情報を取得するとともに、ユーザーが所有しまたは使用する特定のデジタルコンテンツ情報復元装置によってのみデコード可能なエンコードされたデジタルコンテンツ情報を生成する配布用デジタルコンテンツ情報生成装置と、
自装置が使用する所定のＩＤ情報を用いた場合にのみデコード可能にエンコードされたデジタルコンテンツ情報をデコードするデジタルコンテンツ情報復元装置と、
を備えたデジタルコンテンツデータ生成システムであって、
前記配布用デジタルコンテンツ情報生成装置は、前記情報通信ネットワークを介して取得したデジタルコンテンツ情報を格納するコンテンツ記憶サーバーと、前記コンテンツ記憶サーバーより、前記ユーザー所望のデジタルコンテンツ情報を読み出し、該読み出されたデジタルコンテンツ情報を、前記デジタルコンテンツ情報を利用するユーザーに対して個別に発行された登録者番号またはコンテンツ記録媒体ごとに発行された番号または個人識別データであって前記特定のデジタルコンテンツ情報復元装置がデコードの際に使用するＩＤ情報に基づいてエンコードし、所定の記録媒体上に書き込みを行うデジタルコンテンツ情報記録媒体生成サーバーと、前記デジタルコンテンツ情報記録媒体生成サーバーに対し、前記情報通信ネットワークを介して、所望のデジタルコンテンツ情報及び前記特定のデジタルコンテンツ情報復元装置がデコードの際に使用するＩＤ情報を通知するユーザー端末とを備え
前記デジタルコンテンツ情報復元装置は、前記配布用デジタルコンテンツ情報生成装置により生成された記録媒体からデータを読み出し、自装置が使用する前記ＩＤ情報に基づいてデコード処理を行い、前記所定のデジタルコンテンツ情報を復元すること、
を特徴とするデジタルコンテンツデータ生成システム。
【請求項１８】
前記ユーザー端末には、前記記録媒体を利用するデジタルコンテンツ情報復元装置が使用する前記ＩＤ情報が、前記デジタルコンテンツ情報復元装置より直接供給されることを特徴とする請求項１７に記載のデジタルコンテンツデータ生成システム。
【請求項１９】
前記デジタルコンテンツ情報記録媒体生成サーバーは、
前記コンテンツ記憶サーバーの中から、ユーザー所望のデジタルコンテンツ情報を選択する選択部と、
前記選択部により選択されたデジタルコンテンツ情報を、前記コンテンツ記憶サーバーより読み出す読出部と、
前記読出部により読み出されたデジタルコンテンツ情報を、前記ＩＤ情報に基づいてエンコード処理するエンコーダと、
前記エンコーダによりエンコードされたデジタルコンテンツ情報を記録する記録媒体と、
により構成されることを特徴とする請求項１５乃至１８のいずれか１に記載のデジタルコンテンツデータ生成システム。
【請求項２０】
前記デジタルコンテンツ情報復元装置は、前記配布用デジタルコンテンツ情報生成装置が生成する前記記録媒体と共にユーザーに対して提供されることを特徴とする請求項６乃至１９のいずれか１に記載のデジタルコンテンツデータ生成システム。
【発明の詳細な説明】
【技術分野】
【０００１】
本発明は、デジタルコンテンツデータ生成システムに係り、特に特定のユーザー用にコピーされたデジタルコンテンツ情報の使用を、特定（正規）のユーザー以外に対して制限する、デジタルコンテンツ情報復元装置、および、デジタルコンテンツデータ生成システムに関する。
【背景技術】
【０００２】
近年、コンピュータ技術の発展、インターネットの普及などにより、オンラインで、商品の購入手続きをする機会が増えてきた。また、従来はアナログ情報であった映像や音楽データが、ＣＤなどのデジタルメディアで流通するようになった。今後は、これら映像や音楽などのデジタルデータ（コンテンツ）やコンピュータプログラム（パッケージ商品等）を、インターネットなどのネットワーク上で購入し、デジタル蓄積装置にその場でダウンロードする形態が普及していくものと思われる。
【０００３】
ところで、これらデジタルコンテンツは、一般に、ＣＤなどの記録媒体を介してユーザーに提供されるが、これらはユーザーに対し、商品として販売されたものではなく、商品の利用権を販売されたものである。したがって、正規のユーザー（購入者）といえども、商品を他人に勝手に貸与したり転売したりする権利は与えられていない。しかし、現状ではこれらの行為が日常的に行われているのが実状であり、これにより、開発関連会社や著作権者等に多大な不利益が発生しているという問題がある。
【発明の開示】
【発明が解決しようとする課題】
【０００４】
以上述べたように、従来、ＣＤなどのデジタルコンテンツのコピーされた記録媒体が、正規のユーザー以外の者に対して勝手に貸与されたり転売されたりするなどの行為が日常的に行われ、これにより、開発関連会社や著作権者等に多大な不利益が発生しているという問題があった。
【０００５】
そこで、本発明の目的は、デジタルコンテンツの記録された記録媒体を、正規のユーザー以外の者に使用することができなくすることにより、前記デジタルコンテンツの記録された記録媒体が勝手に貸与されたり転売されたりコピーされたりすることを防止する、デジタルコンテンツ情報復元装置、および、デジタルコンテンツデータ生成システムを提供することにある。
【課題を解決するための手段】
【０００６】
上記の目的を達成するため、請求項１に係る発明のデジタルコンテンツ情報復元装置は、自装置が使用する所定のＩＤ情報を用いた場合にのみデコード可能にエンコードされたデジタルコンテンツ情報をデコードするデジタルコンテンツ情報復元装置であって、前記デジタルコンテンツ情報復元装置がデコードの際に使用する所定のＩＤ情報に基づいて所定のデジタルコンテンツ情報をエンコード処理した後に所定の記録媒体上に書き込みを行ったデータを、前記記録媒体から読み出し、自装置が使用する前記ＩＤ情報に基づいてデコード処理を行い、前記所定のデジタルコンテンツ情報を復元することを特徴とする。
【０００７】
請求項２に係る発明は、請求項１に記載のデジタルコンテンツ情報復元装置において、前記ＩＤ情報は、前記記録媒体を利用する特定の機器が有する該機器固有の識別情報であることを特徴とする。
【０００８】
請求項３に係る発明のデジタルコンテンツ情報復元装置は、自装置が使用する所定のＩＤ情報を用いた場合にのみデコード可能にエンコードされたデジタルコンテンツ情報をデコードするデジタルコンテンツ情報復元装置であって、前記デジタルコンテンツ情報を利用するユーザーに対して個別に発行された登録者番号またはコンテンツ記録媒体ごとに発行された番号または個人識別データであって前記デジタルコンテンツ情報復元装置がデコードの際に使用するＩＤ情報に基づいて所定のデジタルコンテンツ情報をエンコード処理した後に所定の記録媒体上に書き込みを行ったデータを、前記記録媒体から読み出し、自装置が使用する前記ＩＤ情報に基づいてデコード処理を行い、前記所定のデジタルコンテンツ情報を復元することを特徴とする。
【０００９】
請求項４に係る発明は、請求項１乃至３に記載のデジタルコンテンツ情報復元装置において、前記エンコード処理は、前記デジタルコンテンツ情報の全てまたは一部に対して行われたものであること特徴とする。
【００１０】
請求項５に係る発明は、請求項１乃至４のいずれか１に記載のデジタルコンテンツ情報復元装置において、前記デジタルコンテンツ情報復元装置は、前記記録媒体と共にユーザーに対して提供されることを特徴とする。
【００１１】
請求項６に係る発明のデジタルコンテンツデータ生成システムは、ユーザーが所有しまたは使用する特定のデジタルコンテンツ情報復元装置によってのみデコード可能なエンコードされたデジタルコンテンツ情報を生成する配布用デジタルコンテンツ情報生成装置と、自装置が使用する所定のＩＤ情報を用いた場合にのみデコード可能にエンコードされたデジタルコンテンツ情報をデコードするデジタルコンテンツ情報復元装置と、を備えたデジタルコンテンツデータ生成システムであって、前記配布用デジタルコンテンツ情報生成装置は、デジタルコンテンツ情報記憶手段より所定のデジタルコンテンツ情報を読み出して、前記特定のデジタルコンテンツ情報復元装置がデコードの際に使用するＩＤ情報に基づいてエンコード処理した後、所定の記録媒体上に書き込みを行い、前記デジタルコンテンツ情報復元装置は、前記配布用デジタルコンテンツ情報生成装置により生成された記録媒体からデータを読み出し、自装置が使用する前記ＩＤ情報に基づいてデコード処理を行い、前記所定のデジタルコンテンツ情報を復元することを特徴とする。
【００１２】
請求項７に係る発明のデジタルコンテンツデータ生成システムは、情報通信ネットワークを介してデジタルコンテンツ情報を取得するとともに、ユーザーが所有しまたは使用する特定のデジタルコンテンツ情報復元装置によってのみデコード可能なエンコードされたデジタルコンテンツ情報を生成する配布用デジタルコンテンツ情報生成装置と、自装置が使用する所定のＩＤ情報を用いた場合にのみデコード可能にエンコードされたデジタルコンテンツ情報をデコードするデジタルコンテンツ情報復元装置と、を備えたデジタルコンテンツデータ生成システムであって、前記配布用デジタルコンテンツ情報生成装置は、前記情報通信ネットワークを介して取得したデジタルコンテンツ情報を格納するコンテンツ記憶サーバーと、前記コンテンツ記憶サーバーより、前記ユーザー所望のデジタルコンテンツ情報を読み出し、該読み出されたデジタルコンテンツ情報を、前記特定のデジタルコンテンツ情報復元装置がデコードの際に使用するＩＤ情報に基づいてエンコード処理し、所定の記録媒体上に書き込みを行う情報端末とを備え、前記デジタルコンテンツ情報復元装置は、前記配布用デジタルコンテンツ情報生成装置により生成された記録媒体からデータを読み出し、自装置が使用する前記ＩＤ情報に基づいてデコード処理を行い、前記所定のデジタルコンテンツ情報を復元することを特徴とする。
【００１３】
請求項８に係る発明は、請求項６または７に記載のデジタルコンテンツデータ生成システムにおいて、前記ＩＤ情報は、前記記録媒体を利用する特定の機器が有する該機器固有の識別情報であることを特徴とする。
【００１４】
請求項９に係る発明は、請求項７に記載のデジタルコンテンツデータ生成システムにおいて、前記配布用デジタルコンテンツ情報生成装置が備える前記情報端末は、前記コンテンツ記憶サーバーの中から、ユーザー所望のデジタルコンテンツ情報を選択する選択部と、前記選択部により選択されたデジタルコンテンツ情報を、前記コンテンツ記憶サーバーより読み出す読出部と、前記読出部により読み出されたデジタルコンテンツ情報を、前記ＩＤ情報に基づいてエンコード処理するエンコーダと、前記エンコーダによりエンコードされたデジタルコンテンツ情報を記録する記録媒体と、により構成されることを特徴とする。
【００１５】
請求項１０に係る発明は、請求項９に記載のデジタルコンテンツデータ生成システムにおいて、前記エンコーダには、前記デジタルコンテンツ情報復元装置の有するＩＤ情報が、前記デジタルコンテンツ情報復元装置より直接供給されることを特徴とする。
【００１６】
請求項１１に係る発明のデジタルコンテンツデータ生成システムは、ユーザーが所有しまたは使用する特定のデジタルコンテンツ情報復元装置によってのみデコード可能なエンコードされたデジタルコンテンツ情報を生成する配布用デジタルコンテンツ情報生成装置と、自装置が使用する所定のＩＤ情報を用いた場合にのみデコード可能にエンコードされたデジタルコンテンツ情報をデコードするデジタルコンテンツ情報復元装置と、を備えたデジタルコンテンツデータ生成システムであって、前記配布用デジタルコンテンツ情報生成装置は、デジタルコンテンツ情報記憶手段より所定のデジタルコンテンツ情報を読み出して、前記デジタルコンテンツ情報を利用するユーザーに対して個別に発行された登録者番号またはコンテンツ記録媒体ごとに発行された番号または個人識別データであって前記特定のデジタルコンテンツ情報復元装置がデコードの際に使用するＩＤ情報に基づいてエンコード処理した後、所定の記録媒体上に書き込みを行い、デジタルコンテンツ情報復元装置は、前記配布用デジタルコンテンツ情報生成装置により生成された記録媒体からデータを読み出し、自装置が使用する前記ＩＤ情報に基づいてデコード処理を行い、前記所定のデジタルコンテンツ情報を復元することを特徴とする。
【００１７】
請求項１２に係る発明のデジタルコンテンツデータ生成システムは、情報通信ネットワークを介してデジタルコンテンツ情報を取得するとともに、ユーザーが所有しまたは使用する特定のデジタルコンテンツ情報復元装置によってのみデコード可能なエンコードされたデジタルコンテンツ情報を生成する配布用デジタルコンテンツ情報生成装置と、自装置が使用する所定のＩＤ情報を用いた場合にのみデコード可能にエンコードされたデジタルコンテンツ情報をデコードするデジタルコンテンツ情報復元装置と、を備えたデジタルコンテンツデータ生成システムであって、前記配布用デジタルコンテンツ情報生成装置は、前記情報通信ネットワークを介して取得したデジタルコンテンツ情報を格納するコンテンツ記憶サーバーと、前記コンテンツ記憶サーバーより、前記ユーザー所望のデジタルコンテンツ情報を読み出し、該読み出されたデジタルコンテンツ情報を、前記デジタルコンテンツ情報を利用するユーザーに対して個別に発行された登録者番号またはコンテンツ記録媒体ごとに発行された番号または個人識別データであって前記特定のデジタルコンテンツ情報復元装置がデコードの際に使用するＩＤ情報に基づいてエンコード処理し、所定の記録媒体上に書き込みを行う情報端末とを備え、前記デジタルコンテンツ情報復元装置は、前記配布用デジタルコンテンツ情報生成装置により生成された記録媒体からデータを読み出し、自装置が使用する前記ＩＤ情報に基づいてデコード処理を行い、前記所定のデジタルコンテンツ情報を復元することを特徴とする。
【００１８】
請求項１３に係る発明は、請求項１２に記載のデジタルコンテンツデータ生成システムにおいて、前記配布用デジタルコンテンツ情報生成装置が備える前記情報端末は、前記コンテンツ記憶サーバーの中から、ユーザー所望のデジタルコンテンツ情報を選択する選択部と、前記選択部により選択されたデジタルコンテンツ情報を、前記コンテンツ記憶サーバーより読み出す読出部と、前記読出部により読み出されたデジタルコンテンツ情報を、前記ＩＤ情報に基づいてエンコード処理するエンコーダと、前記エンコーダによりエンコードされたデジタルコンテンツ情報を記録する記録媒体と、により構成されることを特徴とする。
【００１９】
請求項１４に係る発明は、請求項１３に記載のデジタルコンテンツデータ生成システムにおいて、前記エンコーダには、前記デジタルコンテンツ情報を利用するユーザーに対して個別に発行された登録者番号またはコンテンツ記録媒体ごとに発行された番号または個人識別データが、ＩＤ情報として供給されることを特徴とする。
【００２０】
請求項１５に係る発明のコンテンツデータ生成システムは、情報通信ネットワークを介してデジタルコンテンツ情報を取得するとともに、ユーザーが所有しまたは使用する特定のデジタルコンテンツ情報復元装置によってのみデコード可能なエンコードされたデジタルコンテンツ情報を生成する配布用デジタルコンテンツ情報生成装置と、自装置が使用する所定のＩＤ情報を用いた場合にのみデコード可能にエンコードされたデジタルコンテンツ情報をデコードするデジタルコンテンツ情報復元装置と、を備えたデジタルコンテンツデータ生成システムであって、前記配布用デジタルコンテンツ情報生成装置は、前記情報通信ネットワークを介して取得したデジタルコンテンツ情報を格納するコンテンツ記憶サーバーと、前記コンテンツ記憶サーバーより、前記ユーザー所望のデジタルコンテンツ情報を読み出し、該読み出されたデジタルコンテンツ情報を前記特定のデジタルコンテンツ情報復元装置がデコードの際に使用する所定のＩＤ情報に基づいてエンコードし、所定の記録媒体上に書き込みを行うデジタルコンテンツ情報記録媒体生成サーバーと、前記デジタルコンテンツ情報記録媒体生成サーバーに対し、前記情報通信ネットワークを介して、所望のデジタルコンテンツ情報及び前記特定のデジタルコンテンツ情報復元装置がデコードの際に使用するＩＤ情報を通知するユーザー端末とを備え前記デジタルコンテンツ情報復元装置は、前記配布用デジタルコンテンツ情報生成装置により生成された記録媒体からデータを読み出し、自装置が使用する前記ＩＤ情報に基づいてデコード処理を行い、前記所定のデジタルコンテンツ情報を復元することを特徴とする。
【００２１】
請求項１６に係る発明は、請求項１５に記載のデジタルコンテンツデータ生成システムにおいて、前記ＩＤ情報は、前記記録媒体を利用する特定の機器が有する該機器固有の識別情報であることを特徴とする。
【００２２】
請求項１７に係る発明のデジタルコンテンツデータ生成システムは、情報通信ネットワークを介してデジタルコンテンツ情報を取得するとともに、ユーザーが所有しまたは使用する特定のデジタルコンテンツ情報復元装置によってのみデコード可能なエンコードされたデジタルコンテンツ情報を生成する配布用デジタルコンテンツ情報生成装置と、自装置が使用する所定のＩＤ情報を用いた場合にのみデコード可能にエンコードされたデジタルコンテンツ情報をデコードするデジタルコンテンツ情報復元装置と、を備えたデジタルコンテンツデータ生成システムであって、前記配布用デジタルコンテンツ情報生成装置は、前記情報通信ネットワークを介して取得したデジタルコンテンツ情報を格納するコンテンツ記憶サーバーと、前記コンテンツ記憶サーバーより、前記ユーザー所望のデジタルコンテンツ情報を読み出し、該読み出されたデジタルコンテンツ情報を、前記デジタルコンテンツ情報を利用するユーザーに対して個別に発行された登録者番号またはコンテンツ記録媒体ごとに発行された番号または個人識別データであって前記特定のデジタルコンテンツ情報復元装置がデコードの際に使用するＩＤ情報に基づいてエンコードし、所定の記録媒体上に書き込みを行うデジタルコンテンツ情報記録媒体生成サーバーと、前記デジタルコンテンツ情報記録媒体生成サーバーに対し、前記情報通信ネットワークを介して、所望のデジタルコンテンツ情報及び前記特定のデジタルコンテンツ情報復元装置がデコードの際に使用するＩＤ情報を通知するユーザー端末とを備え前記デジタルコンテンツ情報復元装置は、前記配布用デジタルコンテンツ情報生成装置により生成された記録媒体からデータを読み出し、自装置が使用する前記ＩＤ情報に基づいてデコード処理を行い、前記所定のデジタルコンテンツ情報を復元することを特徴とする。
【００２３】
請求項１８に係る発明は、請求項１７に記載のデジタルコンテンツデータ生成システムにおいて、前記ユーザー端末には、前記記録媒体を利用するデジタルコンテンツ情報復元装置が使用する前記ＩＤ情報が、前記デジタルコンテンツ情報復元装置より直接供給されることを特徴とする。
【００２４】
請求項１９に係る発明は、請求項１５乃至１８のいずれか１に記載のデジタルコンテンツデータ生成システムにおいて、前記デジタルコンテンツ情報記録媒体生成サーバーは、前記コンテンツ記憶サーバーの中から、ユーザー所望のデジタルコンテンツ情報を選択する選択部と、前記選択部により選択されたデジタルコンテンツ情報を、前記コンテンツ記憶サーバーより読み出す読出部と、前記読出部により読み出されたデジタルコンテンツ情報を、前記ＩＤ情報に基づいてエンコード処理するエンコーダと、前記エンコーダによりエンコードされたデジタルコンテンツ情報を記録する記録媒体と、により構成されることを特徴とする。
【００２５】
請求項２０に係る発明は、請求項６乃至１９のいずれか１に記載のデジタルコンテンツデータ生成システムにおいて、前記デジタルコンテンツ情報復元装置は、前記配布用デジタルコンテンツ情報生成装置が生成する前記記録媒体と共にユーザーに対して提供されることを特徴とする。
【発明の効果】
【００２６】
ここで、上記発明によれば、デジタルコンテンツ情報記憶手段より読み出された所定のデジタルコンテンツ情報を所定のＩＤ情報に基づいてエンコード処理した後、所定の記録媒体上に書き込みを行う際、前記ＩＤ情報として、前記記録媒体を利用する特定の機器が有する該機器固有の識別情報、利用者（購入者等）に対して個別に発行された登録者番号、またはコンテンツ記録媒体ごとに発行された番号からなるＩＤ情報を用い、前記機器は、前記記録媒体からデータを読み出し、自機の有するＩＤ情報に基づいてデコード処理を行うことで、前記所定のデジタルコンテンツ情報を復元するようにしたので、前記復元されたデジタルコンテンツ情報を、前記機器の所有者または使用者である正規のユーザー以外の者が不正に使用することを防止できる。
【発明を実施するための最良の形態】
【００２７】
以下、本発明の好ましい実施の形態を、図面に基づき説明する。
【００２８】
（第１の実施の形態）
図１は本発明の第１の実施の形態におけるデジタルコンテンツデータ生成システムにおける配布用デジタルコンテンツ情報生成装置の構成を示したブロック図である。本実施の形態では、店舗等に設置された情報端末から、ユーザー所望の映画ソフト（デジタルコンテンツ情報）を取得（購入）する場合を例に説明を行う。尚、この場合、映画等の映画ソフトは、店舗等に設置された情報端末から取得（購入）する。
【００２９】
図１において、情報通信ネットワーク８には、コンテンツ記憶サーバー６、コンテンツ送出サーバー７が接続され、さらに１台以上の情報端末１０が接続されている。また、情報端末１０は、コンテンツ記憶サーバー６の中からユーザー所望のデジタルコンテンツを選択するための選択部２と、選択部２の結果に基づいてコンテンツ記憶サーバー６からデジタルコンテンツデータの読み出しを行う読出部３と、読み出されたデジタルコンテンツデータを所定のＩＤ情報に基づいてエンコードして出力するエンコーダ４と、エンコーダ４の出力データを記憶する記録媒体５より構成される。
【００３０】
さらに、エンコーダ４では、図示しないキーボード等の入力手段から、入力端子１１を介してユーザーにより供給されるＩＤ情報、または、入力端子１２を介してデジタルコンテンツ情報復元装置であるパソコン１３、ゲーム機１４、ＣＤ等の再生機１５等の記録媒体５を利用する機器が有する該機器固有の識別情報であって、前記機器のいずれか１台よりオンラインにて直接（ユーザーがＩＤ情報を意識することなく）供給されるＩＤ情報に基づいて所定のエンコード処理が実行される。
【００３１】
情報端末１０は、コンビニエンスストア、レコード店、ショッピングセンター、鉄道の駅、高速道路上のサービスエリア・パーキングエリア等街中の各所に設置され、販売対象を表示しうるディスプレイを備え、タッチパネル、マウス、トラックボール、ジョイスティック、キーボード等により、取得したいデジタルコンテンツ情報を入力／選択／検索できる。デジタルコンテンツ情報を取得しようとするユーザーは、情報端末１０を操作して、自分の欲しい映画ソフトを検索／選択する。
【００３２】
選択されたデジタルコンテンツ情報は、選択部２、読出部３により、コンテンツ記憶サーバー６から、情報通信ネットワーク８及びコンテンツ送出サーバー７を介して、エンコーダ４に供給される。さらに、エンコーダ４には、所定のＩＤ情報（この場合、再生機１５のＩＤ）が供給され、これにより、エンコーダ４ではデジタルコンテンツ情報のエンコード処理（固有のファイル形式を生成する処理、以降の説明において同様）が行われる。尚、このとき、前記映画ソフト（デジタルコンテンツ情報）と、再生機１５が、１組（１セット）として供給（販売）されるようにしても良い。
【００３３】
図２は、エンコーダ４で行われるエンコード処理の手順を示したフローチャートである。以下、図２を参照してエンコーダ４で行われるエンコード処理の一例について説明を行う。
【００３４】
デジタルコンテンツ情報（以降、コンテンツデータという）が供給されたエンコーダ４は、コンテンツデータを読み込み（ステップＳ１）、供給されたＩＤ（再生機１５のＩＤ）に基づいて（ステップＳ２）、例えば、そのＩＤをＳｅｅｄとする一様乱数列を、並べ替え（スクランブル）をする容量（デジタルコンテンツ情報のデータ容量）分だけ生成し（ステップＳ３）、その乱数の順序で（スクランブルキーに基づいて）コンテンツデータの並べ替え（スクランブル）を行う（ステップＳ４）。尚、乱数列は、Ｓｅｅｄが異なると全く違ったものとなる。
【００３５】
このようにして並べ替えられたコンテンツデータは、ＣＤ−Ｒ等の記録媒体にダイレクトスタンプされ（ステップＳ５）、その場でユーザーに提供される。さらに、必要に応じて、マニュアル等がプリントされユーザーに提供される。
【００３６】
さて、以上のようにして生成され、ユーザーに提供されたＣＤ−Ｒ等の記録媒体は、この場合、図３に示す如くの本発明のデジタルコンテンツ情報復元装置の一例であるところの再生機１５にて再生される。尚、図３は本発明のデジタルコンテンツデータ生成システムにおけるデジタルコンテンツ情報復元装置（再生機１５）の構成を示したブロック図である。
【００３７】
図３に示す如くに、再生機１５は、情報端末１０により生成された記録媒体５と、記録媒体５に記録されるスクランブルされたコンテンツデータをスクランブル前の状態に戻すデコーダ１６と、スクランブルの解除されたコンテンツデータ（この場合、映画ソフト）を出力する表示部１７により構成される。
【００３８】
次に、図３に示す再生機１５の動作について図４を参照して説明する。尚、図４は、デコーダ１６で行われるデコード処理の手順を示したフローチャートである。
【００３９】
再生機１５は、情報端末１０により生成された記録媒体５が装着されると、デコーダ１６によりスクランブルされたコンテンツデータの読み込みを開始する（ステップＴ１）。また、デコーダ１６は、再生機１５の有する例えば製造番号や特定の部品のシリアル番号等からなるＩＤ（エンコード時に使用された再生機１５のＩＤ）から、スクランブルキーを算出する。
【００４０】
さらに、デコーダ１６は算出されたスクランブルキーに基づいて、スクランブルされたコンテンツデータのスクランブルを解除する（ステップＴ３）。そして、スクランブルの解除されたコンテンツデータを表示部１７に供給する（ステップＴ４）。これにより、表示部１７を介して、ＣＤ−Ｒに記録された映画ソフトを鑑賞することができる。尚、この映画ソフトの鑑賞は、エンコード時に使用されたＩＤを有する再生機１５のみにて可能である。また、前述したとおり、ＩＤは各機器固有のものであり、且つ世の中で他に同じものが存在しない値（例えば、英数字等でコード変換できるもの）であるため、同じ再生機であっても、異なったユーザーの所有する再生機では、この映画ソフトの鑑賞が不可能であることはいうまでもない（以降同様）。
【００４１】
なお、既述の場合と同様に、再生機１５は、ＣＤ−Ｒ等に記録された前記映画ソフト（デジタルコンテンツ情報）と共に、ユーザーに供給（販売）されるようにしても良い。
【００４２】
（第２の実施の形態）
図５は本発明の第２の実施の形態におけるデジタルコンテンツデータ生成システムにおける配布用デジタルコンテンツ情報生成装置の構成を示したブロック図である。本実施の形態では、携帯端末やユーザー宅等に設置されたパソコン等の端末９から、ユーザー所望の映画ソフト（デジタルコンテンツ情報）を取得（購入）する場合を例に説明を行う。尚、この場合、購入した映画等のソフト（ＣＤ−Ｒ等）は、例えば、自宅にて着払いで受け取るか、コンビニエンスストア等に届けられたものを購入して取得する。
【００４３】
図５において、情報通信ネットワーク８には、コンテンツ記憶サーバー６、コンテンツ送出サーバー７、デジタルコンテンツ情報記録媒体生成サーバー１が接続され、さらに１台以上の端末９が接続されている。また、デジタルコンテンツ情報記録媒体生成サーバー１は、コンテンツ記憶サーバー６の中からユーザー所望のデジタルコンテンツを選択するための選択部２と、選択部２の結果に基づいてコンテンツ記憶サーバー６からデジタルコンテンツデータの読み出しを行う読出部３と、読み出されたデジタルコンテンツデータを所定のＩＤ情報に基づいてエンコード処理（固有のファイル形式を生成する処理、以降の説明において同様）して出力するエンコーダ４と、エンコーダ４の出力データを記憶する記録媒体５により構成される。
【００４４】
さらに、端末９には、ユーザーによるＩＤ情報、または、デジタルコンテンツ情報復元装置であるパソコン１３、ゲーム機１４、ＣＤ等の再生機１５等の、記録媒体５を利用する機器から、該機器が有する機器固有の識別情報であるＩＤ情報が直接（ユーザーがＩＤ情報を意識することなく）供給される。
【００４５】
映画ソフト等のデジタルコンテンツ情報を取得（購入）しようとするユーザーは、端末９を操作して、自分の欲しい映画ソフト等（デジタルコンテンツ情報、以降、コンテンツデータともいう）を検索／選択する。
【００４６】
選択（注文）されたデジタルコンテンツ情報は、所定のＩＤ情報（この場合、再生機１５のＩＤ）と共に、端末９から情報通信ネットワーク８及びコンテンツ送出サーバー７を介して、デジタルコンテンツ情報記録媒体生成サーバー１に供給され、デジタルコンテンツ情報記録媒体生成サーバー１を構成する選択部２、読出部３により、コンテンツ記憶サーバー６から読み出され、情報通信ネットワーク８を介して、エンコーダ４に供給される。これにより、エンコーダ４ではデジタルコンテンツ情報のエンコード処理が行われる。尚、このとき、前記映画ソフト（デジタルコンテンツ情報）と、再生機１５が、１組（１セット）として供給（販売）されるようにしてもよい。
【００４７】
エンコーダ４で行われるエンコード処理は、第１の実施の形態で説明した通りであるので、ここでは説明を省略する。エンコーダ４にてスクランブルされた、すなわち、並べ替えられたコンテンツデータは、ＣＤ−Ｒ等の記録媒体５に記録される。
【００４８】
また、コンテンツデータの記録されたＣＤ−Ｒ等の記録媒体５は、デジタルコンテンツ情報記録媒体生成サーバー１の管理者であるデジタルコンテンツ情報提供者等により、必要に応じて取扱説明書と共に、直接ユーザー宅に、またはユーザーが指定したコンビニエンスストア等に配送され、ユーザー（注文者）に提供される。
【００４９】
さて、以上のようにしてユーザーに提供されたＣＤ−Ｒ等の記録媒体は、この場合、図３に示す如くの再生機１５にて再生される。すなわち、再生機１５は、情報端末１０により生成された記録媒体５が装着されると、デコーダ１６によりスクランブルされたコンテンツデータの読み込みを開始する。また、デコーダ１６は、再生機１５の有する例えば製造番号や特定の部品のシリアル番号等からなるＩＤ（エンコード時に使用された再生機１５のＩＤ）からスクランブルキーを算出する。
【００５０】
そして、算出されたスクランブルキーに基づいて、スクランブルされたコンテンツデータのスクランブルを解除し、スクランブルの解除されたコンテンツデータを表示部１７に供給する。これにより、表示部１７を介して、ＣＤ−Ｒに記録された映画ソフトを鑑賞することができる。尚、この映画ソフトの鑑賞は、エンコード時に使用されたＩＤを有する再生機１５のみにて可能である。また、既述の場合と同様に、再生機１５は、ＣＤ−Ｒ等に記録された、前記映画ソフト（デジタルコンテンツ情報）と共に、ユーザーに供給（販売）されるようにしても良い。
【００５１】
なお、本実施の形態では、映画ソフト等のデジタルコンテンツ情報を、携帯端末やユーザー宅等に設置されたパソコン等の端末９から、情報通信ネットワーク８を介してデジタルコンテンツ情報提供者等に注文する場合を例に説明したが、これに限定されることはなく、デジタルコンテンツ情報提供者等の経営する店舗または代理店等に、直接再生機１５のＩＤ情報を通知して注文するようにしても良い。
【００５２】
また、上記説明では、ＩＤ情報として、機器（配布用デジタルコンテンツ情報生成装置またはデジタルコンテンツ情報復元装置）が有する該機器固有の識別情報（製造番号等）を例に説明したが、これに限定されることはなく、例えば、利用者（購入者等）に対して個別に発行された登録者番号等や、コンテンツ記録媒体ごとに発行された番号等、さらには指紋、音声、虹彩等の個人（人体）識別データを使用しても良い。この場合、例えば、図１における情報端末１０や、図３におけるデコーダ１６や、図５における端末９には、図示しないＩＤ情報入力手段（キーボード等）より、ＩＤ情報（番号）が入力されることになる。
【００５３】
また、デジタルコンテンツ情報記録媒体生成サーバー１のエンコーダ４から、スクランブルされたデジタルコンテンツ情報を、端末９を介して直にダウンロードするようにしても良いし、パソコン１３に端末９の機能を持たせ、エンコーダ４からスクランブルされたデジタルコンテンツ情報を直接ダウンロードするようにしても良い。
【００５４】
また、エンコーダの処理として、データの並び替え（スクランブル）を例に説明したが、これに限定されるものではなく、元のファイル形式とは異なった固有のファイル形式を生成する処理を行うものであればよい。さらに、エンコードを行う範囲も、提供されたデジタルコンテンツデータ全体に対して行うようにしても良いし、部分的に行うようにしても良い。デコード処理についても勿論同様である。
【００５５】
一方、上記本発明によれば、デジタルコンテンツがネットワーク上のコンテンツ記憶サーバー上にあることから、いわゆる単一在庫であるため、販売店毎に在庫をおく必要がなく、これにより、場所的資源の節約になり、輸送コストがかからず、内容を更新する場合もコンテンツ記憶サーバーにある情報を更新するのみですべての情報端末から最新の情報がアクセスできることになる。しかも、アクセス（提供）し得るデジタルコンテンツの分野は限定されず、コンテンツ記憶サーバーに記憶し得るデジタルコンテンツであれば、あらゆる分野にまたがるものにアクセス可能である。
【００５６】
さらに、端末を置いておくだけで、コンテンツ記憶サーバー上のあらゆる情報が２４時間販売でき、情報端末を設置するだけのスペースで、コンテンツ記憶サーバーに記憶された莫大な量のデジタルコンテンツを、全て販売することができる。また、情報端末は無人での販売も可能であり、基本的にコンピュータにより管理される端末による販売であるため、店頭に並べられた商品を選択するよりも格段に検索手段に優れている。また、ユーザーが、例えば、映像や音楽情報などの、さわりや特徴部分を試写または試聴してから購入できるようにすることも自由にできる。
【００５７】
また、上記各実施の形態において、記録媒体として、ＣＤ−Ｒを例に説明したが、提供されるデジタルコンテンツの内容に応じて、ＭＤ、ＣＤ−ＲＯＭ、または半導体メモリのデジタル情報メディア等、種々利用可能である。
【００５８】
また、情報通信ネットワークとしては、公衆電話回線、専用回線、インターネット、衛星回線等、種々利用可能である。
【００５９】
また、デジタルコンテンツ情報としては、映像情報、音楽情報、コンピュータプログラム、ゲームソフト、写真（ブロマイド等）情報が挙げられる。
【００６０】
また、デジタルコンテンツ情報は、情報通信ネットワークを介して記録媒体に供給されるものとして説明したが、これに限定されるものではなく、ネットワークを介さないで、直に（オフラインにて）供給される構成としても良い。
【００６１】
なお、本発明は上記した実施の形態に限定されるものではなく、特許請求の範囲に記載した技術思想の範囲内において、種々の変更が可能であることはいうまでもない。
【産業上の利用可能性】
【００６２】
本発明のデジタルコンテンツデータ生成システムによれば、デジタルコンテンツの記録された記録媒体を、正規のユーザー以外の者が所有または使用する機器にて使用不能としたので、前記デジタルコンテンツの記録された記録媒体が勝手に貸与されたり転売されたりコピーされたりすることを防止できる。
【図面の簡単な説明】
【００６３】
【図１】本発明の第１の実施の形態のデジタルコンテンツデータ生成システムにおける配布用デジタルコンテンツ情報生成装置の構成を示したブロック図である。
【図２】エンコーダ４で行われるエンコード処理の手順を示したフローチャートである。
【図３】デジタルコンテンツ情報復元装置（再生機１５）の構成を示したブロック図である。
【図４】デコーダ１６で行われるデコード処理の手順を示したフローチャートである。
【図５】本発明の第２の実施の形態のデジタルコンテンツデータ生成システムにおける配布用デジタルコンテンツ情報生成装置の構成を示したブロック図である。
【符号の説明】
【００６４】
１    デジタルコンテンツ情報記録媒体生成サーバー
２    選択部
３    読出部
４    エンコーダ
５    記録媒体
６    コンテンツ記憶サーバー
７    コンテンツ送出サーバー
８    情報通信ネットワーク
９    端末
１０  情報端末
１１，１２  入力端子
１３  パソコン
１４  ゲーム機
１５  再生機
１６  デコーダ
１７  表示部
【図１】
2005198329.tif 000003
【図２】
2005198329.tif 000004
【図３】
2005198329.tif 000005
【図４】
2005198329.tif 000006
【図５】
2005198329.tif 000007